(57)【要約】【課題】ヒートポンプ回路の立ち上がり特性を高く保ちつつ、蒸発器における液体凍結を抑制することができるヒートポンプ式給湯装置を提供する。【解決手段】ヒートポンプ式給湯装置２は、ヒートポンプ回路２１の１次運転を停止した後の２次運転において、１次運転中における減圧弁３７の初期開度、減圧弁３７の絞り速度、及びコンプレッサ３５の回転数の増速速度に対して、１次運転中の熱源温度に基づいて、２次運転中における減圧弁３７の初期開度、減圧弁３７の絞り速度、及びコンプレッサ３５の回転数の増速速度の少なくとも１つを変更する。【選択図】図１
2017223392.tif 000002
【特許請求の範囲】
【請求項１】
ヒートポンプ式給湯装置であって、
蒸発器（３３）、コンプレッサ（３５）、水冷媒熱交換器（３６）、及び減圧弁（３７）が設けられ、前記蒸発器において熱源と熱交換を行う冷媒を循環させるヒートポンプ回路（２１）と、
前記コンプレッサ及び前記減圧弁を制御して前記ヒートポンプ回路を運転する制御装置（４０）と、を備え、
前記熱源の温度を取得する温度センサ（３４ａ，３４ｂ）が設けられており、
前記制御装置は、前記ヒートポンプ回路の１次運転を停止した後の２次運転において、前記１次運転中における前記減圧弁の初期開度、前記減圧弁の絞り速度、及び前記コンプレッサの回転数の増速速度に対して、前記１次運転中の熱源温度に基づいて、前記２次運転中における前記減圧弁の初期開度、前記減圧弁の絞り速度、及び前記コンプレッサの回転数の増速速度の少なくとも１つを変更する、ヒートポンプ式給湯装置。
【請求項２】
請求項１に記載のヒートポンプ式給湯装置であって、
前記制御装置は、
前記ヒートポンプ回路の１次運転中に、前記温度センサが計測した熱源温度が下側閾値温度以下となると、１次運転を停止し、
熱源温度低下に起因する１次運転停止後の２次運転において、前記１次運転中における前記減圧弁の初期開度、前記減圧弁の絞り速度、及び前記コンプレッサの回転数の増速速度に対して、前記２次運転中における前記減圧弁の初期開度の増大補正、前記減圧弁の絞り速度の減速補正、及び前記コンプレッサの回転数の増速速度の減速補正の少なくとも１つの補正を実行する、ヒートポンプ式給湯装置。
【請求項３】
請求項２に記載のヒートポンプ式給湯装置であって、
前記制御装置は、
熱源温度低下に起因する１次運転停止後の２次運転中に、前記温度センサが計測した熱源温度が下側閾値温度以下となると、２次運転を停止し、
熱源温度低下に起因する２次運転停止後の再度の２次運転が起動する毎に、前記減圧弁の初期開度の増大補正、前記減圧弁の絞り速度の減速補正、及び前記コンプレッサの回転数の増速速度の減速補正の少なくとも１つの補正を段階的に実行する、ヒートポンプ式給湯装置。
【請求項４】
請求項１に記載のヒートポンプ式給湯装置であって、
前記制御装置は、
１次運転中における熱源温度の最低値が上側閾値温度以上となった場合に、１次運転停止後の２次運転において、前記１次運転中における前記減圧弁の初期開度、前記減圧弁の絞り速度、及び前記コンプレッサの回転数の増速速度に対して、前記２次運転中における前記減圧弁の初期開度の減少補正、前記減圧弁の絞り速度の増速補正、及び前記コンプレッサの回転数の増速速度の増速補正の少なくとも１つの補正を実行する、ヒートポンプ式給湯装置。
【請求項５】
請求項１から４のいずれか１項に記載のヒートポンプ式給湯装置であって、
更に、地中熱交換器（３１）において地中熱と熱交換を行う熱源冷媒を循環ポンプ（３２）によって循環させる熱源側循環回路（２０）を備える、ヒートポンプ式給湯装置。
【請求項６】
請求項５に記載のヒートポンプ式給湯装置であって、
１次運転停止後から２次運転開始までの間に、前記コンプレッサの停止状態を維持し、前記循環ポンプを駆動する、ヒートポンプ式給湯装置。
【請求項７】
請求項１から６のいずれか１項に記載のヒートポンプ式給湯装置であって、
前記温度センサは、前記熱源の温度を直接計測して前記熱源の温度を取得するか及び前記蒸発器の温度を計測して前記熱源の温度を取得するかの少なくとも一方によって、前記熱源の温度を取得する、ヒートポンプ式給湯装置。
【請求項８】
請求項１から７のいずれか１項に記載のヒートポンプ式給湯装置であって、
前記ヒートポンプ回路を循環する冷媒は、高圧が超臨界となる冷媒である、ヒートポンプ式給湯装置。
【発明の詳細な説明】
【技術分野】
【０００１】
本発明は、ヒートポンプ式給湯装置に関する。
【背景技術】
【０００２】
地中熱と熱交換を行う不凍液を循環させる熱源側循環回路と、蒸発器として機能する熱源側熱交換器を含むヒートポンプ回路とを備えるヒートポンプ給湯器の一例として、下記特許文献１に記載のものが知られている。下記特許文献１では、熱源側循環回路を循環する不凍液の凍結を防止するため、熱源側循環回路に設けられた循環ポンプの駆動制御と、ヒートポンプ回路に設けられた減圧弁の開度制御とを組み合わせて実行している。
【先行技術文献】
【特許文献】
【０００３】
【特許文献１】特開２０１２−１６７９０２号公報
【発明の概要】
【発明が解決しようとする課題】
【０００４】
ところで、熱源が不凍液や水である場合に限らず、空気を熱源とする場合も水分を含んでいることから、蒸発器として機能する熱源側熱交換器において液体の凍結を回避することが求められる。一方、ヒートポンプ回路の起動時においては、立ち上がり速度を高めることが好ましいものの、立ち上がり速度を高めると、吐出圧力が急上昇し、吸入圧力のアンダーシュートが大きくなって、蒸発器における凍結が懸念される。
【０００５】
本発明はこのような課題に鑑みてなされたものであり、その目的は、ヒートポンプ回路の立ち上がり特性を高く保ちつつ、蒸発器における液体凍結を抑制することができるヒートポンプ式給湯装置を提供することにある。
【課題を解決するための手段】
【０００６】
上記課題を解決するために、本発明に係るヒートポンプ式給湯装置は、蒸発器（３３）、コンプレッサ（３５）、水冷媒熱交換器（３６）、及び減圧弁（３７）が設けられ、前記蒸発器において熱源と熱交換を行う冷媒を循環させるヒートポンプ回路（２１）と、前記コンプレッサ及び前記減圧弁を制御して前記ヒートポンプ回路を運転する制御装置（４０）と、を備え、前記熱源の温度を取得する温度センサ（３４ａ，３４ｂ）が設けられている。前記制御装置は、前記ヒートポンプ回路の１次運転を停止した後の２次運転において、前記１次運転中における前記減圧弁の初期開度、前記減圧弁の絞り速度、及び前記コンプレッサの回転数の増速速度に対して、前記１次運転中の熱源温度に基づいて、前記２次運転中における前記減圧弁の初期開度、前記減圧弁の絞り速度、及び前記コンプレッサの回転数の増速速度の少なくとも１つを変更する。
【０００７】
本発明によれば、コンプレッサ及び減圧弁を制御し、ヒートポンプ回路を１次運転から２次運転と断続的に運転を行うにあたって、減圧弁の初期開度及び絞り速度並びにコンプレッサの回転数の増速速度の少なくとも１つを変更するので、１次運転時に把握した熱源温度に適した２次運転を実行することができる。
【０００８】
尚、「課題を解決するための手段」及び「特許請求の範囲」に記載した括弧内の符号は、後述する「発明を実施するための形態」との対応関係を示すものであって、「課題を解決するための手段」及び「特許請求の範囲」に記載の発明が、後述する「発明を実施するための形態」に限定されることを示すものではない。
【発明の効果】
【０００９】
本発明によれば、ヒートポンプ回路の立ち上がり特性を高く保ちつつ、蒸発器における液体凍結を抑制することができるヒートポンプ式給湯装置を提供することができる。
【図面の簡単な説明】
【００１０】
【図１】図１は、本発明の実施形態に係るヒートポンプ式給湯装置の構成を示すブロック構成図である。
【図２】図２は、図１に示されるヒートポンプ式給湯装置に用いられるＥＣＵについて説明するための図である。
【図３】図３は、本発明の実施形態に係るヒートポンプ式給湯装置の動作を説明するためのフローチャートである。
【図４】図４は、図３に示される制御を実行した場合の水温変化と加熱能力の関係を示す図である。
【図５】図５は、図３に示される制御を実行した場合の水温変化と加熱能力の関係を示す図である。
【発明を実施するための形態】
【００１１】
以下、添付図面を参照しながら本発明の実施形態について説明する。説明の理解を容易にするため、各図面において同一の構成要素に対しては可能な限り同一の符号を付して、重複する説明は省略する。
【００１２】
図１に示されるように、本発明の実施形態であるヒートポンプ式給湯装置２は、熱源側循環回路２０と、ヒートポンプ回路２１と、給湯回路２２と、を備えている。尚、本実施形態では負荷側回路として給湯回路２２を例示しているが、負荷側回路としてはこれに限られるものではなく、例えば湯を用いた暖房回路を負荷側回路としてもよい。また、熱源側循環回路２０を設けずに、空気を熱源とする構成としてもよい。
【００１３】
熱源側循環回路２０は、地中熱交換器３１と、循環ポンプ３２と、を備えている。地中熱交換器３１と循環ポンプ３２とは、流路５０によって繋がれている。流路５０には、熱源冷媒としての水が流れている。
【００１４】
地中熱交換器３１は、地中の比較的浅い箇所に埋設されている。地中熱交換器３１内を通る水は、地中熱と熱交換して流出する。循環ポンプ３２は、流路５０内において水を循環させるためのポンプである。
【００１５】
ヒートポンプ回路２１は、蒸発器３３と、温度センサ３４ａ、温度センサ３４ｂと、と、コンプレッサ３５と、水冷媒熱交換器３６と、減圧弁３７と、を備えている。蒸発器３３と、コンプレッサ３５と、水冷媒熱交換器３６と、減圧弁３７とは、流路５１によって繋がれている。流路５１には、冷媒としてＣＯ２冷媒が流れている。冷媒としては、高圧が超臨界となる冷媒が用いられる。
【００１６】
温度センサ３４ａは、蒸発器３３に流れ込む水の温度を計測できるように設けられている。温度センサ３４ｂは、蒸発器３３の温度を計測するように設けられている。
【００１７】
コンプレッサ３５で圧縮され高温高圧となった冷媒は、水冷媒熱交換器３６に流れる。コンプレッサ３５において冷媒は、比エンタルピ及び圧力が上昇するように状態変化する。
【００１８】
水冷媒熱交換器３６では、給湯回路２２を流れる水と熱交換する。水冷媒熱交換器３６は、凝縮器として機能している。水冷媒熱交換器３６において冷媒は、圧力を維持しつつ比エンタルピが低下するように状態変化する。
【００１９】
水冷媒熱交換器３６から流出する高圧冷媒は、減圧弁３７に流れる。減圧弁３７において冷媒は、比エンタルピを維持しつつ圧力が低下するように状態変化する。減圧弁３７によって減圧された冷媒は、蒸発器３３に流入する。
【００２０】
蒸発器３３において冷媒は、熱源側循環回路２０の流路５０を流れる水と熱交換する。蒸発器３３において冷媒は、圧力を維持しつつ比エンタルピが上昇するように状態変化する。
【００２１】
給湯回路２２は、循環ポンプ３８と、貯湯タンク３９と、を備えている。循環ポンプ３８と貯湯タンク３９とは、流路５２によって繋がれている。
【００２２】
循環ポンプ３８が駆動されると、貯湯タンク３９の下方に溜まっている水が流路５２を通って水冷媒熱交換器３６に送り込まれる。水冷媒熱交換器３６に流れ込んだ水は、水冷媒熱交換器３６においてヒートポンプ回路２１を流れる高温冷媒と熱交換して高温の湯になり、貯湯タンク３９に還流する。
【００２３】
貯湯タンク３９からは、貯湯対象端末であるキッチン水栓や風呂水栓へ湯を供給できるように構成されている。貯湯タンク３９から湯を供給することによって貯水量が減少すると、給水されるように構成されている。
【００２４】
図２に示されるように、ヒートポンプ式給湯装置２は、制御装置としてのＥＣＵ４０を備えている。ＥＣＵ４０には、温度センサ３４ａ，３４ｂが計測する水の温度が熱源温度として入力される。ＥＣＵ４０は、熱源温度に基づいて情報処理を実行し、コンプレッサ３５にコンプレッサ回転数を指示する駆動信号を出力するとともに、減圧弁３７に弁制御を指示する駆動信号を出力する。
【００２５】
続いて、図３、図４、図５を参照しながら、ＥＣＵ４０の動作について説明する。図３のステップＳ１０１からステップＳ１０８の説明においては適宜図４を参照し、図３のステップＳ１０９からステップＳ１１３の説明においては適宜図５を参照する。
【００２６】
ステップＳ１０１では、沸き上げ指示がＯＮとなり、ＥＣＵ４０が沸き上げ準備に入る。ステップＳ１０１に続くステップＳ１０２では、ＥＣＵ４０が、減圧弁３７の初期開度を決定する。一例として、本実施形態では、初期開度＝初期値×初期開度係数＾Ｃとして設定するものとする。初期開度係数は、１を超える値で設定される。Ｃは０以上の数値であって、図４（Ｅ）に示されるように本実施形態では０から開始するものとしている。
【００２７】
ステップＳ１０２に続くステップＳ１０３では、ＥＣＵ４０が、コンプレッサ３５の増速速度を決定する。一例として、本実施形態では、増速速度＝初期値×初期増速係数＾Ｃとして設定する。初期増速係数は、１未満の値で設定される。Ｃは０以上の数値であって、図４（Ｅ）に示されるように本実施形態では０から開始するものとしている。
【００２８】
ステップＳ１０３に続くステップＳ１０４では、ＥＣＵ４０が沸き上げ運転を開始する。図４においては、時刻ｔ１がステップＳ１０１の処理時刻に相当し、時刻ｔ２がステップＳ１０４の処理時刻に相当する。図４（Ａ）の時刻ｔ１から時刻ｔ３に示される減圧弁３７の初期開度は、ステップＳ１０２で設定されたものである。図４（Ｂ）の時刻ｔ２から時刻ｔ３に示されるコンプレッサ３５の増速速度であるグラフの傾きは、ステップＳ１０３で設定されたものである。
【００２９】
ステップＳ１０４に続くステップＳ１０５では、ＥＣＵ４０が、減圧弁３７の駆動量を決定する。一例として、本実施形態では、駆動量＝初期値×初期駆動係数＾Ｃとして設定する。初期駆動係数は、１未満の値で設定される。Ｃは０以上の数値であって、図４（Ｅ）に示されるように本実施形態では０から開始するものとしている。
【００３０】
ステップＳ１０５に続くステップＳ１０６では、ＥＣＵ４０が減圧弁３７を駆動する。図４（Ａ）の時刻ｔ３からｔ４に示される減圧弁３７の絞りであるグラフの傾きは、ステップＳ１０６で設定されたものである。
【００３１】
ステップＳ１０６に続くステップＳ１０７では、ＥＣＵ４０が、温度センサ３４ａが検出する水の温度又は温度センサ３４ｂが検出する蒸発器３３の温度に基づいて、熱源温度を検出する。
【００３２】
図４（Ｄ）の時刻ｔ２から時刻ｔ４においては、ヒートポンプ回路２１の立ち上げ運転に伴い加熱能力が上昇する。加熱能力の上昇に対して、図４（Ｃ）の時刻ｔ２から時刻ｔ４においては、熱源温度が下降する。
【００３３】
ステップＳ１０７に続くステップＳ１０８では、ＥＣＵ４０は、熱源温度が閾値温度Ａ℃以下であるか否かを判断する。熱源温度が閾値温度Ａ℃以下でなければステップＳ１０９の処理に進み、熱源温度が閾値温度Ａ℃以下であればステップＳ１１１の処理に進む。
【００３４】
ステップＳ１１１では、ＥＣＵ４０がヒートポンプ回路２１の運転を一旦停止する。具体的には、図４（Ｂ）の時刻ｔ４から時刻ｔ５に示されるように、コンプレッサ３５の回転駆動を停止する。図４（Ａ）の時刻ｔ４から時刻ｔ５に示されるように、減圧弁３７の開度は保持される。図には明示されないが、循環ポンプ３２の駆動は継続される。このため、図４（Ｃ）の時刻ｔ４から時刻ｔ５に示されるように、地中熱交換器３１における熱交換が継続されて熱源温度は上昇する。
【００３５】
ステップＳ１１１に続くステップＳ１１２では、Ｃ＝Ｃ＋１としてＣが加算される。図４（Ｅ）の時刻ｔ４において、Ｃが増加する。ステップＳ１１１の処理が終了すると、ステップＳ１０２の処理に進む。図４の時刻ｔ６以降に示されるように、Ｃが更新された状態でヒートポンプ回路２１の運転が再開される。図４に示される例では、時刻ｔ１から時刻ｔ４が１次運転に相当し、時刻ｔ５から時刻ｔ８が２次運転に相当する。時刻ｔ８以降に再び運転停止と運転再開が繰り返されることも想定されるが、運転の一旦停止を挟んで一対の運転状態がある場合に、時間的に前の運転を１次運転に相当し、時間的に後の運転を２次運転に相当する。
【００３６】
本実施形態では、運転再開後の減圧弁３７の初期開度は、図４（Ａ）の時刻ｔ６から時刻ｔ７に示されるように、１次運転の場合の初期開度よりも広げられる。また、運転再開後の減圧弁３７の駆動量は、図４（Ａ）の時刻ｔ７から時刻ｔ８に示されるように、１次運転の場合の駆動量よりも大きくなる。また、運転再開後のコンプレッサ３５の増速速度は、図４（Ｂ）の時刻ｔ６から時刻ｔ７に示されるように、１次運転の場合の増速速度よりも増速補正される。
【００３７】
結果として、図４（Ｄ）の時刻ｔ６から時刻ｔ８に示されるように、加熱能力の上昇は１次運転の場合よりも緩やかになる。これに伴って、図４（Ｃ）の時刻ｔ７から時刻ｔ８に示されるように、熱源温度の低下も緩和され、熱源温度が閾値温度Ａ℃を下回ることがなくなる。
【００３８】
ステップＳ１０９では、ＥＣＵ４０が沸き上げ指示のＯＮが継続しているか判断する。沸き上げ指示のＯＮが継続していれば、ステップＳ１０５の処理に戻る。沸き上げ指示のＯＮが継続していなければステップＳ１１０の処理に進む。
【００３９】
ステップＳ１１０では、ＥＣＵ４０が熱源温度の最低値が閾値温度Ｂ℃以上であったか否かを判断する。熱源温度の最低値が閾値温度Ｂ℃以上でなければ処理を終了し、熱源温度の最低値が閾値温度Ｂ℃以上であればステップＳ１１３の処理に進む。この判断ブロックに達するためには、ステップＳ１０８において熱源温度が閾値温度Ａ℃以下とならないことが条件であるから、閾値温度Ｂ℃は、閾値温度Ａ℃よりも高く設定される。図５にこの状態を示す。図５（Ｃ）の時刻ｔ１から時刻ｔ５に示されるように、熱源温度は閾値温度Ｂ℃以上を維持し、沸き上げ運転が一旦終了している。
【００４０】
ステップＳ１１３では、Ｃ＝Ｃ−１としてＣが減算される。図５（Ｅ）の時刻ｔ５において、Ｃが減少する。従って、時刻ｔ６以降の２次運転においては、減圧弁３７の初期開度が減少し、減圧弁３７の絞り速度は増速し、コンプレッサ３５の増速速度は増やされている。このため、時刻ｔ８から時刻ｔ９の間で、図５（Ｃ）に示されるようにアンダーシュートが発生しているが、熱源温度が高めであるので時刻ｔ９以降においてアンダーシュートが解消されている。
【００４１】
上記したように本実施形態に係るヒートポンプ式給湯装置は、蒸発器３３、コンプレッサ３５、水冷媒熱交換器３６、及び減圧弁３７が設けられ、蒸発器３３において熱源と熱交換を行う冷媒を循環させるヒートポンプ回路２１と、コンプレッサ３５及び減圧弁３７を制御してヒートポンプ回路２１を運転する制御装置としてのＥＣＵ４０と、を備え、熱源の温度を取得する温度センサ３４ａ，３４ｂが設けられている。ＥＣＵ４０は、ヒートポンプ回路２１の１次運転を停止した後の２次運転において、１次運転中における減圧弁３７の初期開度、減圧弁３７の絞り速度、及びコンプレッサ３５の回転数の増速速度に対して、１次運転中の熱源温度に基づいて、２次運転中における減圧弁３７の初期開度、減圧弁３７の絞り速度、及びコンプレッサ３５の回転数の増速速度の少なくとも１つを変更する。
【００４２】
本実施形態によれば、コンプレッサ３５及び減圧弁３７を制御し、ヒートポンプ回路２１を１次運転から２次運転と断続的に運転を行うにあたって、減圧弁３７の初期開度及び絞り速度並びにコンプレッサ３５の回転数の増速速度の少なくとも１つを変更するので、１次運転時に把握した熱源温度に適した２次運転を実行することができる。
【００４３】
また本実施形態において、ＥＣＵ４０は、ヒートポンプ回路２１の１次運転中に、温度センサ３４ａ，３４ｂが計測した熱源温度が下側閾値温度である閾値温度Ａ℃以下となると、１次運転を停止する（図４参照）。このような熱源温度低下に起因する１次運転停止後の２次運転において、１次運転中における減圧弁３７の初期開度、減圧弁３７の絞り速度、及びコンプレッサ３５の回転数の増速速度に対して、２次運転中における減圧弁３７の初期開度の増大補正、減圧弁３７の絞り速度の減速補正、及びコンプレッサ３５の回転数の増速速度の減速補正の少なくとも１つの補正を実行する。熱源温度低下に起因する１次運転停止後の２次運転において、ヒートポンプ回路２１の加熱能力の立ち上がり特性が緩やかになるように制御するので、蒸発器３３における水分凍結を抑制することができる。
【００４４】
また本実施形態において、ＥＣＵ４０は、熱源温度低下に起因する１次運転停止後の２次運転中に、温度センサ３４ａ，３４ｂが計測した熱源温度が下側閾値温度である閾値温度Ａ℃以下となると、２次運転を停止する。図３のステップＳ１０８からステップＳ１１１，ステップＳ１１２において説明したように、熱源温度低下に起因する２次運転停止後の再度の２次運転が起動する毎に、乗数Ｃを加算することで、減圧弁３７の初期開度の増大補正、減圧弁３７の絞り速度の減速補正、及びコンプレッサ３５の回転数の増速速度の減速補正の少なくとも１つの補正を段階的に実行している。熱源温度低下に起因する１次運転停止後の２次運転において更に熱源温度の低下が続いた場合に、ヒートポンプ回路２１の加熱能力の立ち上がり特性がより緩やかになるように制御するので、蒸発器３３における水分凍結を確実に抑制することができる。
【００４５】
また本実施形態においては図５を参照しながら説明したように、ＥＣＵ４０は、１次運転中における熱源温度の最低値が上側閾値温度である閾値温度Ｂ℃以上となった場合に、１次運転停止後の２次運転において、１次運転中における減圧弁３７の初期開度、減圧弁３７の絞り速度、及びコンプレッサ３５の回転数の増速速度に対して、２次運転中における減圧弁３７の初期開度の減少補正、減圧弁３７の絞り速度の増速補正、及びコンプレッサ３５の回転数の増速速度の増速補正の少なくとも１つの補正を実行する。熱源温度低下によるものではない１次運転停止後の２次運転において、ヒートポンプ回路２１の加熱能力の立ち上がり特性が急峻になるように制御するので、蒸発器３３における水分凍結が懸念されない場合のヒートポンプ回路２１の立ち上がり特性を高めることができる。
【００４６】
また本実施形態においては、地中熱交換器３１において地中熱と熱交換を行う熱源冷媒を循環ポンプ３２によって循環させる熱源側循環回路２０を備えている。ＥＣＵ４０は、１次運転停止後から２次運転開始までの間に、コンプレッサ３５の停止状態を維持し、循環ポンプ３２を駆動する。ヒートポンプ回路２１の運転が停止している間も熱源側循環回路２０における熱源冷媒の循環を継続することで、地中熱交換器３１における熱交換を継続することができ、熱源冷媒の凍結を抑制することができる。
また本実施形態においては、温度センサ３４ａは、熱源である熱源冷媒の温度を直接計測しており、温度センサ３４ｂは、蒸発器３３の温度を計測している。ＥＣＵ４０は、温度センサ３４ａから出力される温度によっても、温度センサ３４ｂから出力される温度によっても、熱源冷媒の温度を取得することができる。従って、温度センサ３４ａ，３４ｂは、熱源の温度を直接計測して熱源の温度を取得するか及び蒸発器３３の温度を計測して熱源の温度を取得するかの少なくとも一方であれば足り、いずれにしてもＥＣＵ４０は熱源の温度を取得することができる。
【００４７】
また本実施形態では、熱源冷媒は水又は不凍液である。また本実施形態では、ヒートポンプ回路２１を循環する冷媒は高圧が超臨界となる冷媒であって、一例としてＣＯ２冷媒である。
【００４８】
以上、具体例を参照しつつ本発明の実施の形態について説明した。しかし、本発明はこれらの具体例に限定されるものではない。これら具体例に、当業者が適宜設計変更を加えたものも、本発明の特徴を備えている限り、本発明の範囲に包含される。前述した各具体例が備える各要素およびその配置、条件、形状などは、例示したものに限定されるわけではなく適宜変更することができる。前述した各具体例が備える各要素は、技術的な矛盾が生じない限り、適宜組み合わせを変えることができる。
【符号の説明】
【００４９】
２：ヒートポンプ式給湯装置
２１：ヒートポンプ回路
３３：蒸発器
３４ａ，３４ｂ：温度センサ
３５：コンプレッサ
３６：水冷媒熱交換器
３７：減圧弁
４０：ＥＣＵ
【図１】
2017223392.tif 000003
【図２】
2017223392.tif 000004
【図３】
2017223392.tif 000005
【図４】
2017223392.tif 000006
【図５】
2017223392.tif 000007